(57)【要約】【課題】蓄積性蛍光体パネルに残留する放射線画像を必要最小限の消去エネルギで効率的且つ確実に消去することのできる残留放射線画像消去装置及び消去方法を提供する。【解決手段】蓄積量算出部３６において、蓄積性蛍光体パネルの分割された各領域での放射線エネルギの蓄積量を算出し、各領域毎に設定した消去エネルギを消去ユニット２２から蓄積性蛍光体パネルに照射することにより、蓄積性蛍光体パネルに残留する放射線画像を必要最小限の消去エネルギで効率的に消去する。【選択図】図３
2007033992.tif 000002
【特許請求の範囲】
【請求項１】
放射線画像を蓄積記録した蓄積性蛍光体パネルに励起光を照射することで前記放射線画像を読み取った後、前記蓄積性蛍光体パネルに消去光を照射して残留放射線画像を消去する残留放射線画像消去装置において、
前記蓄積性蛍光体パネルを複数の領域に分割し、前記各領域に蓄積された放射線エネルギの蓄積量を検出する蓄積量検出手段と、
前記各領域の前記蓄積量に応じた消去エネルギからなる前記消去光を前記領域毎に照射する消去ユニットと、
を備えることを特徴とする残留放射線画像消去装置。
【請求項２】
請求項１記載の消去装置において、
前記蓄積量検出手段は、前記蓄積性蛍光体パネルから読み取った前記放射線画像より前記各領域の前記蓄積量を算出することを特徴とする残留放射線画像消去装置。
【請求項３】
請求項１記載の消去装置において、
前記蓄積量検出手段は、
前記蓄積性蛍光体パネルの前記各領域に照射される放射線量を検出する放射線量検出部を備え、前記放射線量より前記各領域の前記蓄積量を算出することを特徴とする残留放射線画像消去装置。
【請求項４】
請求項１記載の消去装置において、
前記消去ユニットは、
前記蓄積性蛍光体パネルの前記各領域に前記消去光を照射する複数の消去ブロックを備え、前記各消去ブロックから出力される前記消去光を前記各領域の前記蓄積量に従って制御することを特徴とする残留放射線画像消去装置。
【請求項５】
請求項４記載の消去装置において、
前記各消去ブロックは、
前記消去光を出力する発光素子を備え、前記各領域の前記蓄積量に従って前記発光素子を制御することを特徴とする残留放射線画像消去装置。
【請求項６】
請求項４記載の消去装置において、
前記各消去ブロックは、
前記各領域の前記蓄積量に従って前記消去光を制御するフィルタリング手段を備え、前記フィルタリング手段を介して前記消去光を前記蓄積性蛍光体パネルに照射することを特徴とする残留放射線画像消去装置。
【請求項７】
請求項６記載の消去装置において、
前記フィルタリング手段は、
前記消去光の透過、非透過を制御可能な液晶シャッタを備えることを特徴とする残留放射線画像消去装置。
【請求項８】
請求項４〜７のいずれか１項に記載の消去装置において、
前記各消去ブロックは、
短波長成分を含む第１消去光を出力する第１消去部と、
長波長成分のみからなる第２消去光を出力する第２消去部と、
を備え、前記第１消去光を前記蓄積性蛍光体パネルに照射した後、前記第２消去光を前記蓄積性蛍光体パネルに照射することを特徴とする残留放射線画像消去装置。
【請求項９】
請求項８記載の消去装置において、
前記各領域の前記蓄積量に従い、前記蓄積性蛍光体パネルに対する前記第１消去光及び前記第２消去光の照射時間を制御することを特徴とする残留放射線画像消去装置。
【請求項１０】
放射線画像を蓄積記録した蓄積性蛍光体パネルに励起光を照射することで前記放射線画像を読み取った後、前記蓄積性蛍光体パネルに消去光を照射して残留放射線画像を消去する残留放射線画像消去方法において、
前記蓄積性蛍光体パネルに蓄積された放射線エネルギの蓄積量を、分割した前記蓄積性蛍光体パネルの複数の領域毎に検出するステップと、
前記各領域の前記蓄積量に応じた消去エネルギからなる前記消去光を前記領域毎に照射するステップと、
からなることを特徴とする残留放射線画像消去方法。
【請求項１１】
請求項１０記載の消去方法において、
前記消去光を前記蓄積性蛍光体パネルに照射するステップでは、
短波長成分を含む第１消去光を前記蓄積性蛍光体パネルに照射した後、長波長成分のみからなる前記第２消去光を前記蓄積性蛍光体パネルに照射することを特徴とする残留放射線画像消去方法。
【発明の詳細な説明】
【技術分野】
【０００１】
本発明は、放射線画像を蓄積記録した蓄積性蛍光体パネルに励起光を照射することで前記放射線画像を読み取った後、前記蓄積性蛍光体パネルに消去光を照射して残留放射線画像を消去する残留放射線画像消去装置及び消去方法に関する。
【背景技術】
【０００２】
例えば、放射線（Ｘ線、α線、β線、γ線、電子線、紫外線等）を照射すると、この放射線エネルギの一部が蓄積され、その後、可視光等の励起光を照射すると、蓄積されたエネルギに応じて輝尽発光を示す蓄積性蛍光体（輝尽性蛍光体）が知られている。
【０００３】
この蓄積性蛍光体を利用して、人体等の被写体の放射線画像を蓄積性蛍光体層を備えてなる蓄積性蛍光体パネルに一旦記録し、この蓄積性蛍光体パネルにレーザ光等の励起光を照射して得られる輝尽発光光を光電的に読み取って得られた画像信号に基づき、写真感光材料等の記録媒体、ＣＲＴ等の表示装置に被写体の放射線画像を可視像として出力させる放射線画像記録再生システムが開発されている。放射線画像の読み取られた蓄積性蛍光体パネルは、消去光を照射することで残留する放射線画像を消去した後、再度、放射線画像の記録に供することができる。
【０００４】
ここで、蓄積性蛍光体パネルに残留する放射線画像を消去する際、紫外線を含まない消去光を用いると、可視光で消去し難い深層部にあるトラップ電子が残留してしまうおそれがある。一方、紫外線を多く含む消去光を用いた場合には、深層部にあるトラップ電子を除去することはできるものの、紫外線を含む消去光自身によって新たなトラップ電子が生成されてしまう。
【０００５】
そこで、紫外線領域の波長成分を含む第１消去光を蓄積性蛍光体パネルに照射することで、深層部のトラップ電子を除去した後、第１消去光によって新たに生成された比較的浅い部分のトラップ電子を、紫外線を含まない波長成分からなる第２消去光を照射して除去することにより、効率的な消去処理を行うことのできる技術が開発されている（特許文献１参照）。
【０００６】
【特許文献１】特開平５−１１９４１２号公報
【発明の開示】
【発明が解決しようとする課題】
【０００７】
ところで、蓄積性蛍光体パネルに照射される放射線量は、撮影条件や被写体の撮影部位等により異なるため、蓄積性蛍光体パネルの位置によって残留する放射線エネルギの蓄積量も異なっている。また、撮影に使用される蓄積性蛍光体パネルのサイズも撮影目的等によって種々のものがある。
【０００８】
この場合、例えば、蓄積性蛍光体パネルに蓄積されている最大の放射線エネルギを基準として消去エネルギを設定し消去処理を行えば、残留する放射線エネルギを確実に除去することができる。
【０００９】
しかしながら、蓄積性蛍光体パネルの部位によっては、必要以上の消去エネルギが付与される部分もあるため、無駄な電力を消費してしまう。また、個々の蓄積性蛍光体パネルのサイズを考慮せず、最大サイズの蓄積性蛍光体パネルを基準として消去光を照射する場合においても、消去エネルギが無駄となる。
【００１０】
本発明は、前記の課題に鑑みてなされたものであり、蓄積性蛍光体パネルに残留する放射線画像を必要最小限の消去エネルギで効率的且つ確実に消去することのできる残留放射線画像消去装置及び消去方法を提供することを目的とする。
【課題を解決するための手段】
【００１１】
本発明の残留放射線画像消去装置は、放射線画像を蓄積記録した蓄積性蛍光体パネルに励起光を照射することで前記放射線画像を読み取った後、前記蓄積性蛍光体パネルに消去光を照射して残留放射線画像を消去する残留放射線画像消去装置において、
前記蓄積性蛍光体パネルを複数の領域に分割し、前記各領域に蓄積された放射線エネルギの蓄積量を検出する蓄積量検出手段と、
前記各領域の前記蓄積量に応じた消去エネルギからなる前記消去光を前記領域毎に照射する消去ユニットと、
を備えることを特徴とする。
【００１２】
また、本発明の残留放射線画像消去方法は、放射線画像を蓄積記録した蓄積性蛍光体パネルに励起光を照射することで前記放射線画像を読み取った後、前記蓄積性蛍光体パネルに消去光を照射して残留放射線画像を消去する残留放射線画像消去方法において、
前記蓄積性蛍光体パネルに蓄積された放射線エネルギの蓄積量を、分割した前記蓄積性蛍光体パネルの複数の領域毎に検出するステップと、
前記各領域の前記蓄積量に応じた消去エネルギからなる前記消去光を前記領域毎に照射するステップと、
からなることを特徴とする。
【発明の効果】
【００１３】
本発明の残留放射線画像消去装置及び消去方法では、蓄積性蛍光体パネルを複数の領域に分割し、各領域に蓄積された放射線エネルギの蓄積量に従った消去エネルギからなる消去光を各領域に照射することにより、消去エネルギを必要最小限にすることができるとともに、消去処理を効率的且つ確実に行うことができる。
【発明を実施するための最良の形態】
【００１４】
図１は、本発明の残留放射線画像消去装置及び消去方法が適用される立位型撮影装置１０の構成を示す。
【００１５】
立位型撮影装置１０は、人体等の被写体１２の放射線画像を蓄積性蛍光体パネルＩＰに記録する機能に加えて、蓄積性蛍光体パネルＩＰから放射線画像を読み取る機能、及び、放射線画像の読み取られた蓄積性蛍光体パネルＩＰに残留する残留放射線画像を消去する機能を備える。
【００１６】
ここで、蓄積性蛍光体パネルＩＰは、例えば、ガラス等の硬質材料からなる支持基板に柱状の蓄積性蛍光体層を蒸着して形成される硬質のパネルを用いることができる。蓄積性蛍光体層は、真空容器内で蓄積性蛍光体を加熱して蒸発させ、これらを支持基板上に付着させる真空蒸着法、スパッタリング法、ＣＶＤ、イオンフレーティング法を用いて形成することができる。このようにして形成される蓄積性蛍光体層は、蓄積性蛍光体が蓄積性蛍光体パネルＩＰの平面と略垂直な柱状をなし、それぞれが光学的に独立に構成されており、照射される放射線に対して高感度で、且つ、画像の粒状性を低下させることができるとともに、励起光の散乱を減少させて画質を鮮明にすることができる。
【００１７】
なお、蓄積性蛍光体パネルＩＰとしては、硬質材料からなる支持基板上に蓄積性蛍光体層を形成したものに限られるものではなく、蓄積性蛍光体をフレキシブルな支持基板に塗布してなるシート状のものを利用することもできる。また、本実施形態の立位型撮影装置１０では、透明な支持基板上に蓄積性蛍光体層が形成され、一方の面から放射線画像を記録し、他方の面から読取処理及び消去処理を行う蓄積性蛍光体パネルＩＰを使用する。なお、装置構成によっては、同一の面から放射線画像の記録、読取、消去の各処理を行う蓄積性蛍光体パネルＩＰを使用することもできる。
【００１８】
立位型撮影装置１０は、被写体１２の撮影部位を位置決めする撮影台１４と、撮影台１４とともに立位型撮影装置１０の内部を光密に保持するケーシング１６とを備える。なお、撮影台１４に対向して、被写体１２にＸ線１５を照射するＸ線源１８が配置される。
【００１９】
立位型撮影装置１０の内部には、撮影台１４と略平行に蓄積性蛍光体パネルＩＰが配設され、また、蓄積性蛍光体パネルＩＰに蓄積記録された放射線画像を読み取る読取ユニット２０と、放射線画像の読み取られた蓄積性蛍光体パネルＩＰに残留する残留放射線画像を消去する消去ユニット２２とが配設される。
【００２０】
読取ユニット２０は、ケーシング１６の内部に立設されたボールねじ２４に係合しており、下端部に配設された駆動モータ２６によりボールねじ２４を矢印方向に回転させることにより、蓄積性蛍光体パネルＩＰに沿って昇降可能に構成される。読取ユニット２０は、放射線画像が蓄積記録された蓄積性蛍光体パネルＩＰに対して励起光Ｌを照射する励起光光源２８と、励起光Ｌが照射されることで蓄積性蛍光体パネルＩＰから放出される放射線画像に係る輝尽発光光Ｒを受光して電気信号に変換する光電変換部３０とを備える。
【００２１】
励起光光源２８は、例えば、多数のＬＤを蓄積性蛍光体パネルＩＰの主走査方向にライン状に配列して構成することができる。また、光電変換部３０は、励起光光源２８からの励起光Ｌが主走査方向に照射されることで蓄積性蛍光体パネルＩＰより放出された輝尽発光光Ｒを受光するＣＣＤラインセンサにより構成することができる。この場合、読取ユニット２０を蓄積性蛍光体パネルＩＰに沿って矢印方向に副走査搬送させることにより、蓄積性蛍光体パネルＩＰに蓄積記録された放射線画像を二次元的に読み取ることができる。
【００２２】
読取ユニット２０を介して蓄積性蛍光体パネルＩＰに対向配置される消去ユニット２２は、図２に示すように、消去光Ｑを出力する多数の消去光源３２ａ及び３２ｂを交互にマトリクス状に配列して構成される。
【００２３】
消去光源３２ａ（第１消去部）は、例えば、波長が５００ｎｍよりも短い短波長成分を含む第１消去光Ｑ１を出力し、消去光源３２ｂ（第２消去部）は、例えば、波長が５００ｎｍ以上の長波長成分のみからなる第２消去光Ｑ２を出力する。これらの消去光源３２ａ及び３２ｂは、ＬＥＤ等の発光素子により構成することができる。この場合、消去ユニット２２を薄型とすることができる。なお、消去光源３２ａ及び３２ｂは、短波長成分及び長波長成分を含む消去光Ｑを出力可能なものとし、消去光源３２ｂの前面に短波長成分を除去するフィルタを配設して構成することもできる。
【００２４】
消去ユニット２２は、消去光Ｑを出力する発光範囲が複数の消去ブロック４２ａ〜４２ｐに分割して構成される。各消去ブロック４２ａ〜４２ｐは、複数の消去光源３２ａ及び３２ｂを含んでいる。
【００２５】
図３は、立位型撮影装置１０の制御回路ブロック図である。
【００２６】
立位型撮影装置１０は、制御部３４によって制御される。制御部３４は、撮影条件に従ってＸ線源１８を制御するとともに、読取ユニット２０及び消去ユニット２２の制御を行う。読取ユニット２０によって蓄積性蛍光体パネルＩＰから読み取られた放射線画像は、放射線画像記憶部３５に記憶される。
【００２７】
蓄積量算出部３６は、放射線画像記憶部３５に記憶された蓄積性蛍光体パネルＩＰを、消去ユニット２２の消去ブロック４２ａ〜４２ｐの各位置に対応する複数の領域に分割し、各領域に蓄積記録された放射線画像の最大値に基づき、蓄積性蛍光体パネルＩＰに蓄積された各領域の放射線エネルギの蓄積量を算出する。この場合、放射線画像記憶部３５及び蓄積量算出部３６は、蓄積量検出手段を構成する。
【００２８】
なお、放射線画像から放射線エネルギの蓄積量を算出する代わりに、蓄積性蛍光体パネルＩＰを透過するＸ線１５の線量を検出する図示しないフォトタイマ（放射線量検出部）を蓄積性蛍光体パネルＩＰに沿って配設し、このフォトタイマにより検出した各領域の線量から、蓄積性蛍光体パネルＩＰの各領域における放射線エネルギの蓄積量を算出するようにしてもよい。ここで、フォトタイマとは、被写体１２及び蓄積性蛍光体パネルＩＰを透過したＸ線１５の線量を検出し、その線量が撮影部位、撮影条件等によって決められている所定の上限線量を超過した場合、Ｘ線源１８に対する高電圧の供給を強制的に遮断し、被写体１２に対するＸ線１５の過剰曝射を事前に回避する処理を行うものである。
【００２９】
蓄積量算出部３６によって算出された各領域の放射線エネルギの蓄積量は、照射時間比率設定部３８に供給される。照射時間比率設定部３８は、蓄積量に対する第１消去光Ｑ１と第２消去光Ｑ２との最適な照射時間比率を照射時間比率記憶部４０から読み出し、消去ユニット２２に供給する。
【００３０】
照射時間比率記憶部４０には、蓄積性蛍光体パネルＩＰへの放射線エネルギの蓄積量に対する最適な第１消去光Ｑ１及び第２消去光Ｑ２の照射時間比率が予め記憶されている。
【００３１】
ここで、本出願人は、蓄積性蛍光体パネルＩＰに照射されるＸ線１５の線量と、４５０ｎｍの波長からなる第１消去光Ｑ１及び５３０ｎｍの波長からなる第２消去光Ｑ２の照射時間比率とを種々組み合わせ、所定の照射エネルギからなる第１消去光Ｑ１及び第２消去光を蓄積性蛍光体パネルＩＰに９０秒間照射した後、蓄積性蛍光体パネルＩＰに残留する残留エネルギを測定した。その測定結果を図４〜図６に示す。なお、図４は、Ｘ線１５の線量が１０ｍＲ（≒２．５８×１０-6Ｃ／ｋｇ）、図５は、Ｘ線１５の線量が１００ｍＲ（≒２．５８×１０-5Ｃ／ｋｇ）、図６は、Ｘ線１５の線量が１００ｍＲ（≒１．２９×１０-4Ｃ／ｋｇ）の場合における測定結果である。
【００３２】
これらの測定結果から、線量が少ない場合には（図４参照）、第１消去光Ｑ１の第２消去光Ｑ２に対する照射時間比率を小さく設定することにより、蓄積性蛍光体パネルＩＰに残留する残留エネルギが少なくなり、効率的に残留放射線画像を消去できることが了解される。また、線量が多い場合には（図６参照）、第１消去光Ｑ１の第２消去光Ｑ２に対する照射時間比率を線量が少ない場合よりも多く設定することにより、蓄積性蛍光体パネルＩＰに残留する残留エネルギが少なくなり、効率的に残留放射線画像を消去できることが了解される。
【００３３】
この理由は、蓄積性蛍光体パネルＩＰに照射されるＸ線１５の線量が少ない場合、蓄積性蛍光体パネルＩＰの深層部に分布するトラップ電子が少ないため、エネルギの高い短波長成分を含む第１消去光Ｑ１をさほど必要とすることなく、長波長成分のみからなる第２消去光Ｑ２を主として蓄積性蛍光体パネルＩＰに照射することにより、トラップ電子を十分に除去できるものと考えられる。一方、蓄積性蛍光体パネルＩＰに照射されるＸ線１５の線量が多い場合、蓄積性蛍光体パネルＩＰの深層部に分布するトラップ電子が多くなるため、エネルギの高い短波長成分を含む第１消去光Ｑ１を長めに照射して深層部のトラップ電子を除去した後、長波長成分のみからなる第２消去光Ｑ２を照射することで、トラップ電子を十分に除去できるものと考えられる。
【００３４】
そこで、上記の結果に基づき、照射時間比率記憶部４０には、蓄積性蛍光体パネルＩＰに対するＸ線１５の線量に応じて蓄積される放射線エネルギの蓄積量に対応させて、残留エネルギを最も少なくすることのできる第１消去光Ｑ１と第２消去光Ｑ２との照射時間比率が記憶される。
【００３５】
本実施形態の立位型撮影装置１０は、基本的には以上のように構成されるものであり、次に、その動作及び作用効果について説明する。
【００３６】
先ず、残留放射線画像が完全に消去された蓄積性蛍光体パネルＩＰが立位型撮影装置１０に設定されているものとし、この状態において、被写体１２を撮影台１４の所定部位に位置決めした後、撮影部位、撮影条件等に応じてＸ線源１８を制御し、Ｘ線１５を被写体１２に照射する。被写体１２に照射されたＸ線１５の一部は、被写体１２を透過して蓄積性蛍光体パネルＩＰに照射されることで、放射線画像が蓄積記録される。
【００３７】
蓄積性蛍光体パネルＩＰに放射線画像が蓄積記録された後、読取ユニット２０が駆動され、読取処理が開始される。駆動モータ２６が駆動されると、ボールねじ２４が回転し、読取ユニット２０が蓄積性蛍光体パネルＩＰに沿って副走査方向（矢印方向）に移動する。このとき、蓄積性蛍光体パネルＩＰの主走査方向に対して、励起光光源２８から出力された励起光Ｌがライン状に照射されることにより、蓄積された放射線画像に応じた輝尽発光光Ｒが蓄積性蛍光体パネルＩＰから放出される。放出された輝尽発光光Ｒは、光電変換部３０によって電気信号に変換され、放射線画像として放射線画像記憶部３５に記憶される。このようにして、蓄積性蛍光体パネルＩＰに蓄積記録された放射線画像が二次元的に読み取られることになる。
【００３８】
読取ユニット２０による読取処理が終了した後、消去ユニット２２が駆動され、蓄積性蛍光体パネルＩＰに残留する放射線画像の消去処理が行われる。この場合、蓄積量算出部３６は、放射線画像記憶部３５に記憶された放射線画像を読み出し、消去ユニット２２の各消去ブロック４２ａ〜４２ｐに対応する領域毎に、蓄積性蛍光体パネルＩＰに蓄積された放射線エネルギの蓄積量の最大値を算出する。算出された各領域の蓄積量の最大値は、消去ユニット２２及び照射時間比率設定部３８に供給される。照射時間比率設定部３８は、各領域の蓄積量に対応する第１消去光Ｑ１と第２消去光Ｑ２との照射時間比率を照射時間比率記憶部４０から読み出し、消去ユニット２２に供給する。
【００３９】
そこで、消去ユニット２２は、蓄積量算出部３６から供給された各領域の放射線エネルギの蓄積量の最大値に基づき、各消去ブロック４２ａ〜４２ｐによる消去に必要な消去エネルギを算出する。そして、照射時間比率設定部３８から供給された照射時間比率で前記消去エネルギを付与することのできる照射時間、各消去ブロック４２ａ〜４２ｐを構成する消去光源３２ａ及び３２ｂを点灯させることにより、残留する放射線画像の消去を行う。
【００４０】
この場合、照射時間比率に基づき、消去光源３２ａを駆動し、短波長成分を含む第１消去光Ｑ１のみを設定された照射時間だけ蓄積性蛍光体パネルＩＰに照射した後、消去光源３２ｂを駆動し、長波長成分のみからなる第２消去光Ｑ２のみを設定された照射時間だけ蓄積性蛍光体パネルＩＰに照射することにより、蓄積性蛍光体パネルＩＰの深層部に残留しているトラップ電子が第１消去光Ｑ１により確実に除去され、次いで、蓄積性蛍光体パネルＩＰの比較的浅い部分に残留しているトラップ電子が第２消去光Ｑ２により確実に除去される。
【００４１】
以上のようにして、蓄積性蛍光体パネルＩＰの各領域毎に適切な消去エネルギが付与され、蓄積性蛍光体パネルＩＰに残留する残留放射線画像が確実に除去されるため、当該蓄積性蛍光体パネルＩＰに対して再度放射線画像を蓄積記録する際、残留放射線画像の影響を受けることなく、放射線画像を蓄積性蛍光体パネルＩＰに高精度に蓄積記録することができる。なお、蓄積性蛍光体パネルＩＰのサイズに応じて、消去光Ｑを出力する消去ブロック４２ａ〜４２ｐの範囲を設定すれば、無駄な消去エネルギを消費することなく、一層効率的に消去処理を行うことができる。
【００４２】
図７は、消去ユニット４４の他の構成を示す。この消去ユニット４４は、短波長成分から長波長成分までの消去に必要な全波長範囲の消去光Ｑを出力することのできる、例えば、キセノン管、冷陰極管等の消去光源４６をケーシング４８に収納し、消去光Ｑを出力するケーシング４８の開口部にＬＣＤ（液晶）パネル５０及びフィルタ５２を配設して構成される。なお、ＬＣＤパネル５０及びフィルタ５２は、フィルタリング手段を構成する。
【００４３】
図８に示すように、ＬＣＤパネル５０は、多数のＬＣＤ素子５４（液晶シャッタ）をマトリクス状に配置して構成され、消去ユニット２２の場合と同様に、蓄積性蛍光体パネルＩＰの分割した各領域に対応して複数の消去ブロック４２ａ〜４２ｐが設定される。また、フィルタ５２は、消去に必要な全波長範囲の消去光Ｑ（第１消去光）を透過させるフィルタ素子５６ａと、短波長成分を除去した消去光Ｑ（第２消去光）を透過させるフィルタ素子５６ｂとを各ＬＣＤ素子５４に対応してマトリクス状に配置して構成される。なお、フィルタ素子５６ａは省略してもよい。
【００４４】
このように構成される消去ユニット４４は、蓄積量算出部３６から供給された各領域の放射線エネルギの蓄積量の最大値に基づき、各消去ブロック４２ａ〜４２ｐによる消去に必要な消去エネルギを算出し、この消去エネルギと、照射時間比率設定部３８から供給された照射時間比率とに従い、ＬＣＤ制御部５８によりＬＣＤ素子５４が駆動制御される。この場合、フィルタ素子５６ａに対応するＬＣＤ素子５４を透過状態に設定して、短波長成分を含む第１消去光Ｑ１を照射時間比率に基づく所定時間蓄積性蛍光体パネルＩＰに照射した後、フィルタ素子５６ｂに対応するＬＣＤ素子５４を透過状態に設定して、短波長成分を除去した第２消去光Ｑ２を照射時間比率に基づく所定時間蓄積性蛍光体パネルＩＰに照射する。この結果、蓄積性蛍光体パネルＩＰに残留する残留放射線画像をむらなく確実に消去することができる。
【００４５】
なお、本発明は、上述した実施形態に限定されるものではなく、本発明の主旨を逸脱しない範囲で自由に変更できることは勿論である。
【図面の簡単な説明】
【００４６】
【図１】本発明の残留放射線画像消去装置及び消去方法が適用される立位型撮影装置の構成図である。
【図２】図１に示す消去ユニットを構成する消去光源の説明図である。
【図３】図１に示す立位型撮影装置の制御回路ブロック図である。
【図４】線量を１０ｍＲとしたときの照射時間比率と残留エネルギとの関係説明図である。
【図５】線量を１００ｍＲとしたときの照射時間比率と残留エネルギとの関係説明図である。
【図６】線量を５００ｍＲとしたときの照射時間比率と残留エネルギとの関係説明図である。
【図７】消去ユニットの他の実施形態の説明図である。
【図８】図７に示す消去ユニットを構成するフィルタリング手段の説明図である。
【符号の説明】
【００４７】
１０…立位型撮影装置              １２…被写体
１５…Ｘ線                        １８…Ｘ線源
２０…読取ユニット                ２２、４４…消去ユニット
３２ａ、３２ｂ、４６…消去光源    ３５…放射線画像記憶部
３６…蓄積量算出部                ３８…照射時間比率設定部
４０…照射時間比率記憶部          ４２ａ〜４２ｐ…消去ブロック
５０…ＬＣＤパネル                ５２…フィルタ
５４…ＬＣＤ素子                  ５６ａ、５６ｂ…フィルタ素子
５８…ＬＣＤ制御部
【図１】
2007033992.tif 000003
【図２】
2007033992.tif 000004
【図３】
2007033992.tif 000005
【図４】
2007033992.tif 000006
【図５】
2007033992.tif 000007
【図６】
2007033992.tif 000008
【図７】
2007033992.tif 000009
【図８】
2007033992.tif 000010